(57)【特許請求の範囲】
【請求項１】
巻線等に接続されたリード線を固定子コアの側面より引き出されて形成されている電動機において、
くさび状突起と、固定子コアに仮固定するための突起とを有する本体部と、
この本体部の一側面と連結され、前記くさび状突起を挿入するための通し穴を有する開閉扉とを備え、前記くさび状突起を前記通し穴に挿入することで、開閉扉を本体部に仮固定した際に、この開閉扉と本体部との間に空洞が形成されるブッシングを、
固定子コアの端面の外側部に設けられた固定用穴に、前記ブッシングの突起を差し込んで、ブッシングを固定子コアに仮固定し、
巻線等に接続されたリード線を前記ブッシングの開閉扉と本体部との間へ通し、
固定子外周面に取り付けられるベアリングブラケットにて、前記ブッシングを押圧することにより、ブッシングを固定子に固定し、かつ、ブッシングの開閉扉と本体部とを本止めしたことを特徴とする電動機。
【発明の詳細な説明】
【０００１】
【産業上の利用分野】
巻線等に接続されたリード線を固定子コアの側面より引き出されて形成されている電動機に関する。
【０００２】
【従来の技術】
従来におけるリード線を固定子コアの側面より引き出されて形成される電動機について、鋼板製のベアリングブラケットを使用した誘導電動機を例に、図５および図６を用いて説明する。図５は、従来における誘導電動機の固定子の正面図である。図６は、図５の固定子を用いた誘導電動機の側断面図である。
【０００３】
図５において、固定子コア１６は、筒状に形成されたバックヨーク１７と、このバックヨーク１７の内周面より軸中心に向かって放射状に延出した複数個のティース１８とで構成されている。
【０００４】
また、固定子１９は、固定子コア１６と、この固定子コア１６のティース１８に巻回された巻線２０とで構成されている。
【０００５】
そして、巻線２０の端末２０ａとリード線２１とが半田付けにより接続されている。また、この半田付け部を絶縁および保護するために、保護チューブ２２が巻線２０の端末とリード線２１とを覆うようにして取り付けてある。
【０００６】
図６において、誘導電動機２３は、固定子１９と、この固定子１９の内周部に収納された回転子２４と、この回転子２４の両端部に取り付けられ、回転子２４を支持し、回転子を回転自在にした２個のすべり軸受２５ａ、２５ｂと、固定子１９をサンドイッチ状に挟み込み、この固定子１９とすべり軸受２５ａ、２５ｂとを収納して固定し、誘導電動機２３内部の保護を行う２個のベアリングブラケット２６ａ、２６ｂとで構成されている。
【０００７】
回転子２４は、棒状のシャフト２７と、このシャフト２７の外周面に取り付けられた回転子コア２８とで構成されている。また、シャフト２７のスラスト方向への移動を制限するための段付き２９がシャフト２７に設けられ、そして、回転子２４の摩擦抵抗を低減するための各種ワッシャ３０が、シャフト２７の段付き２９と一方のすべり軸受２５ａとの間、およびシャフト２７の端面とベアリングブラケット２６ａとの間に設けられている。
【０００８】
ベアリングブラケット２６ａ、２６ｂは、鋼板を椀状に形成されており、一方のベアリングブラケット２６ａの外周面の端面と固定子コア１６の外周面との間に隙間を設けて、この隙間からリード線２１、あるいはこのリード線２１を保護している保護チューブ２２を誘導電動機２３外へ延出させている。
【０００９】
【発明が解決しようとする課題】
以上のように、従来の電動機において、リード線を電動機外へ引き出す際、リード線、あるいはこのリード線を保護している保護チューブが、ベアリングブラケットと固定子の固定子コアの外周面との間に挟み込まれ、傷、あるいは断線を発生させることがあった。
【００１０】
また、リード線が、激しく振動する電動機では、固定子コアの外周端部のエッジで、リード線などが、きずあるいは断線を発生させることがあった。
【００１１】
さらに、リード線保護のため保護チューブを電動機外へ引き出だす際、何らかの原因で、電動機内で発火した場合、保護チューブを伝って電動機外に延焼しないよう難燃性のチューブを使用しなければならなかった。
【００１２】
【課題を解決するための手段】
そこで、本発明によれば、くさび状突起と、固定子コアに仮固定するための突起とを有する本体部と、この本体部の一側面と連結され、前記くさび状突起を挿入するための通し穴を有する開閉扉とを備え、前記くさび状突起を前記通し穴に挿入することで、開閉扉を本体部に仮固定した際に、この開閉扉と本体部との間に空洞が形成されるブッシングを、固定子コアの端面の外側部に設けられた固定用穴に、前記ブッシングの突起を差し込んで、ブッシングを固定子コアに仮固定し、巻線等に接続されたリード線を前記ブッシングの開閉扉と本体部との間へ通し、固定子外周面に取り付けられるベアリングブラケットにて、前記ブッシングを押圧することにより、ブッシングを固定子に固定し、かつ、ブッシングの開閉扉と本体部とを本止めしたことを特徴とする電動機を提供する。
【００１３】
【作用】
固定子コアに設けられた固定用穴にブッシングの突起を差し込んで、ブッシングを固定子に仮固定する。そして、リード線をブッシング内に通した後、開閉扉を閉じ、本体部のくさび状突起で仮止めする。そして、固定子の外周にベアリングブラケットをはめ込み、固定子とベアリングブラケットとでブッシングを挟持することにより、固定子からのブッシングのはずれ防止、およびブッシングの開閉扉が、本体部から外れることを防止する。
【００１４】
【実施例】
本発明における実施例を図１〜図４を用いて説明する。図１は、本発明におけるブッシングの斜視図である。図２は、誘導電動機の固定子の正面図である。図３は、図１のブッシングを取り付けた誘導電動機の固定子の正面図である。図４は、固定子に取り付けられたブッシング部付近を説明した誘導電動機の側断面図である。
【００１５】
図１において、ブッシング１は、本体部２と、開閉自在な開閉扉３とにより構成されている。本体部２には、ぶっしんぐ１を後述する固定子コアに固定するための突起４が設けられ、また、開閉扉３を本体部２に仮止めするためのくさび状突起５が設けられている。
【００１６】
開閉扉３には、本体部２のくさび状突起５を通すための通し穴６が設けられている。また、開閉扉３には、ブッシング１を固定子に固定した際に、軸方向に対して斜面が形成されるように、斜面部３ａが設けられている。
【００１７】
そして、開閉扉３を閉じて、本体部２のくさび状突起５を開閉扉３の通し穴６に通すことにより、開閉扉３を本体部２に仮止めすることができる。
【００１８】
また、ブッシング１は、開閉扉３を閉じられることによって、開閉扉３と本体部２との間に、リード線を通すための空洞が形成されるように構成する。
【００１９】
図２において、誘導電動機の固定子７は、従来例で説明した誘導電動機の固定子と同様に、バックヨーク８とティース９とで形成された固定子コア１０と、この固定子コア１０のティース９に巻回された巻線１１とで構成されている。そして、巻線１１の端末１１ａに半田付けされたリード線１２が設けられている。そして、この半田付け部を保護するための保護チューブ１３が設けられている。
【００２０】
また、バックヨーク８の端面の外側には、前述したブッシング１の突起４を挿入するための固定用穴１４（あるいは切り欠けでもよい）が設けられている。
【００２１】
図３において、固定子７の固定用穴１４に、ブッシング１の突起４を挿入して、ブッシング１を固定子７に仮固定する。そして、巻線１１の端末１１ａと接続されているリード線１２をブッシング１の本体部２と開閉扉３の間に通す。そして、開閉扉３を閉じ、本体部２のくさび状突起５を開閉扉３の通し穴６に通して、開閉扉３を本体部２に仮止めする。
【００２２】
図４において、ブッシング１が仮固定された固定子７に、従来と同様に、椀状のベアリングブラケット１５ａ、１５ｂを取り付ける。このとき、一方のベアリングブラケット１５ａでブッシング１の開閉扉３の斜面部３ａを押圧し、かつ、固定子でブッシング１の本体部２を押圧することにより、ブッシング１を固定子７に固定し、ブッシング１の開閉扉３と本体部２とを本止めする。
【００２３】
【発明の効果】
本発明によれば、リード線あるいは保護チューブの断線を防止することができる。
【００２４】
また、電動機外まで延出させていた保護チューブの長さを電動機内までの長さに短くすることができ、保護チューブに高価な材質のものを使用する必要がない。
【００２５】
【図面の簡単な説明】
【図１】本発明におけるブッシングの斜視図。
【図２】誘導電動機の固定子の正面図。
【図３】図１のブッシングを取り付けた誘導電動機の固定子の正面図。
【図４】固定子に取り付けられたブッシング部付近を説明した誘導電動機の側断面図。
【図５】従来における誘導電動機の固定子の正面図。
【図６】図５の固定子を用いた誘導電動機の側断面図。
【符号の説明】
１…ブッシング
２…本体部
３…開閉扉
４…突起
５…くさび状突起
６…通し穴
７、１９…固定子
８、１７…バックヨーク
９、１８…ティース
１０、１６…固定子コア
１１、２０…巻線
１２、２１…リード線
１３、２２…保護チューブ
１４…固定用穴
１５ａ、１５ｂ、２６ａ、２６ｂ…ベアリングブラケット
２３…誘導電動機
２４…回転子
２５ａ、２５ｂ…すべり軸受
２７…シャフト
２８…回転子コア
【図１】
0003838294.tif 000002
【図２】
0003838294.tif 000003
【図３】
0003838294.tif 000004
【図４】
0003838294.tif 000005
【図５】
0003838294.tif 000006
【図６】
0003838294.tif 000007